(57)【特許請求の範囲】
【請求項１】
子供の作品に対応した作品画像部と、その子供に対応した個別のコードを有するコード画像部を含んだ一つの画像データを取込む画像データ取得手段と、
少なくとも氏名、生年月日および連絡先を含む子供個人の基本的情報に、前記子供を個々に識別する識別子を付加した名簿データを記憶保存する名簿データ記憶部と、
前記画像データ取得手段で取込んだ前記画像データの中から、前記コード画像部に含まれる前記コードを解析し、前記コードに含まれる前記子供の個人情報と前記名簿データ記憶部に記憶される前記名簿データとの比較から、前記画像データに関係する前記子供に対応した個別の前記識別子を特定するコード解析手段と、
前記画像データを前記識別子と関連付けて記憶保存する画像データ記憶部と、を備えた電子アルバムシステムであって、
前記子供の氏名となる表示を形成した第１印版面と、
前記コードの印影として、前記子供の個人情報を含んだコード化パターンの表示を形成した第２印版面と、を有する電子アルバム用スタンプを備え、
さらに予め設定したタイミングで、前記名簿データに含まれる生年月日を利用して、特定の子供の名簿データだけを前記名簿データ記憶部から抽出し、その名簿データに含まれる連絡先から、前記画像データを利用した商品の販売を促す電子メールを配信する商品促進手段を備えたことを特徴とする電子アルバムシステム。
【請求項２】
前記コード解析手段は、前記子供に対応した個別の前記識別子を特定すると、前記画像データのファイル名を、前記識別子と前記画像データを取込んだ日時を組み合わせたものに変換した上で、当該画像データを前記画像データ記憶部に記憶保存させる構成としたことを特徴とする請求項１記載の電子アルバムシステム。
【発明の詳細な説明】
【技術分野】
【０００１】
本発明は、電子アルバム用スタンプで押印された印影が画像読取り装置で読取られ、解析される電子アルバムシステムに関する。
【背景技術】
【０００２】
従来、この種の電子アルバムシステムとして、例えば特許文献１には、サーバコンピュータと複数のユーザーの情報端末装置とを、ネットワークを介して接続し、各クラスの生徒・担任・副担任の名前および顔写真などからなるクラス情報や、授業風景・入学式・卒業式・体育祭・文化祭・修学旅行・クラブ活動などからなる学校行事情報などに関する静止画画像を、各ユーザーの情報端末装置に対して電子アルバムとして配信するものが提案されている。
【先行技術文献】
【特許文献】
【０００３】
【特許文献１】特開２００７−１３３７２６号公報
【発明の概要】
【発明が解決しようとする課題】
【０００４】
上記特許文献１の技術では、例えば文化祭などで一人の生徒が作成した一つの作品を、その生徒の保護者だけが何時でも情報端末装置を通して閲覧できるようにするためには、個々の作品について、その作品が誰のものであるのかを関連付ける作業が必要となる。したがって、そのような関連付けがサーバコンピュータの管理者側で行なえない場合には、生徒の作品が保護者の手元に戻った後、保護者側でその作品を何らかの手段により保管しなければならない。しかし、そうした作品は、生徒である子供の成長と共に増えていくと共に、それぞれの作品で材質やサイズがバラバラであり、保管が難しいという問題があった。
【０００５】
そこで、本発明は上記問題点に鑑み、子供が作品を作成する度に、その作品が誰のものであるのかを、簡単に関連付けすることが可能な電子アルバム用スタンプを備えた電子アルバムシステムを提供することを主な目的とする。
【課題を解決するための手段】
【０００６】
本発明は、子供の作品に対応した作品画像部と、その子供に対応した個別のコードを有するコード画像部を含んだ一つの画像データを取込む画像データ取得手段と、少なくとも氏名、生年月日および連絡先を含む子供個人の基本的情報に、前記子供を個々に識別する識別子を付加した名簿データを記憶保存する名簿データ記憶部と、前記画像データ取得手段で取込んだ前記画像データの中から、前記コード画像部に含まれる前記コードを解析し、前記コードに含まれる前記子供の個人情報と前記名簿データ記憶部に記憶される前記名簿データとの比較から、前記画像データに関係する前記子供に対応した個別の前記識別子を特定するコード解析手段と、前記画像データを前記識別子と関連付けて記憶保存する画像データ記憶部と、を備えた電子アルバムシステムであって、前記子供の氏名となる表示を形成した第１印版面と、前記コードの印影として、前記子供の個人情報を含んだコード化パターンの表示を形成した第２印版面と、を有する電子アルバム用スタンプを備え、さらに予め設定したタイミングで、前記名簿データに含まれる生年月日を利用して、特定の子供の名簿データだけを前記名簿データ記憶部から抽出し、その名簿データに含まれる連絡先から、前記画像データを利用した商品の販売を促す電子メールを配信する商品促進手段を備えたことを特徴とする電子アルバムシステムである。
【０００７】
また、本発明の前記コード解析手段は、前記子供に対応した個別の前記識別子を特定すると、前記画像データのファイル名を、前記識別子と前記画像データを取込んだ日時を組み合わせたものに変換した上で、当該画像データを前記画像データ記憶部に記憶保存させる構成としたことを特徴とする。
【発明の効果】
【０００８】
本発明によれば、ここでの電子アルバム用スタンプは、子供の氏名が印影として形成される第１印版面の他に、その子供の個人情報を含んだコードが印影として形成される第２印版面をさらに備えている。そのため、子供の作成した作品の近傍に、電子アルバム用スタンプを押印して二次元コードのようなコードを貼付けておけば、これらの作品とコードを含んだ一つの画像データを電子アルバムシステムに取込むだけで、その子供に対応した個別の識別子と画像データが自動的に関連付けられて、個々の画像データを記憶手段に記憶保存することができ、電子アルバムとして自由に閲覧できる。したがって、子供が作品を作成する度に、その作品が誰のものであるのかを、電子アルバムシステム側で簡単に関連付けすることが可能になる。さらに、画像データ記憶部に記憶保存された多数の画像データを利用して、冊子やグッズなどの商品の販売を促すことが可能になる。
【図面の簡単な説明】
【０００９】
【図１】本発明の一実施形態を示す電子アルバム用スタンプの平面図および正面図である。
【図２】同上、電子アルバムシステムと外部との接続構成を示す概略図である。
【図３】同上、画像データの作成例を示す説明図である。
【図４】同上、サーバ内部の構成を示すブロック図である。
【図５】同上、電子アルバムシステムを用いたサービスの流れを示す説明図である。
【発明を実施するための形態】
【００１０】
以下、本発明における電子アルバム用スタンプと、その電子アルバム用スタンプの印影を利用した電子アルバムシステムの実施形態について、添付図面を参照しながら説明する。特にここでは、幼稚園の園児を子供の対象として、その幼稚園で電子アルバムシステムを運用する場合の一例を説明する。
【００１１】
図１は、画像データ管理用スタンプとなる電子アルバム用スタンプ１の外観を示すものである。同図において、電子アルバム用スタンプ１は、指で掴める程度の大きさの基材２と、基材２の一端面に設けた印版部３とにより構成される。印版部３の材料はゴムであるが、それに限らず他の部材を使用してもよい。印版部３は、少なくとも園児の氏名の印影を形成できる第１印版面４の他に、その園児の個人情報を含んだコード化パターンの印影を形成できる第２印版面５を付加して構成される。第１印版面４や第２印版面５は、何れも面一の状態で、且つインクを含浸するために凹凸形状に形成される。印版部３へのインクの付着は、電子アルバムスタンプ１とは別体のスタンプ台（図示せず）を用いてもよいし、基材２の内部にインク吸蔵体を設けてもよい。
【００１２】
図１に示す第１印版面４は、ひらがなと漢字を上下に並べた園児の氏名が、印影として得られるように形成されるが、これはあくまでも一例で、漢字だけでもよいし、ひらがなに代わりローマ字としても構わない。また、第１印版面４と並んで設けた第２印版面５には、第１印版面４で表示された園児の氏名（児童名）や、性別や、生年月日などのように、その園児を他の園児と識別するための個人情報が、好ましくはＱＲコード（登録商標）などの二次元コードの他に、バーコードや、ドットパターンによるコード化パターンの印影として得られるように形成される。
【００１３】
そして、上記電子アルバム用スタンプ１は通常、幼稚園の入園時に、既存の第１印版面４だけを有するゴム印に第２印版面５を付加して、園児毎に個別に作成されるものである。
【００１４】
図２は、画像データ管理システムとしての電子アルバムシステム１０と、外部との接続構成を示すものである。同図において、１２は幼稚園側で管理運用されるサーバで、これは実質的に電子アルバムシステム１０の全ての構成を担っている。サーバ１２は、ネットワーク１４を介して、幼稚園の先生が操作するパソコン（パーソナルコンピュータ）１６や、園児の保護者が操作するパソコン１８および／または携帯電話２０や、サーバ１２からの注文情報を受けて冊子やグッズなどを製作し、保護者に販売する業者が操作するパソコン２２と、それぞれ双方向に通信可能に接続される。なお、これらのサーバ１２に接続する端末は、その他にスマートフォンやタブレットなどを用いてもよい。また図２では、先生，保護者，業者が一人ずつ示されているが、実際には多数の先生や、保護者や、業者の端末が、ネットワーク１４を介してサーバ１２と接続可能に構成される。
【００１５】
図３は、サーバ１２に取り込まれる画像データの作成例を示したものである。本実施形態では、園児の作成した作品Ａ１，Ａ２と、その園児の電子アルバム用スタンプ１を押印した時の印影Ｓが、スキャナ３０や、デジタルカメラ３２や、撮影機能付きのタブレット３４などの画像データ変換手段により一纏めに取り込まれ、電気的な画像データに変換される。
【００１６】
例えば園児が紙（画用紙、和紙、クラフト紙など）に描いた平面状の作品Ａ１では、その紙の適所に電子アルバム用スタンプ１の印影Ｓを形成し、これらをスキャナ３０でスキャンする。これによりスキャナ３０は、園児の作品Ａ１に対応した作品画像部３６と、その園児に対応した個別の二次元コードを有するコード画像部３８とを含む一つの画像データに変換することができる。
【００１７】
また別な例として、園児が立体状の作品Ａ２を作成した場合は、前述のようなスキャン３０を利用することができない。そこで、作品Ａ２の近傍に電子アルバム用スタンプ１の印影Ｓを形成した後、これらをデジタルカメラ３２やタブレット３４などの撮像手段で撮影する。これによりデジタルカメラ３２やタブレット３４は、園児の作品Ａ２に対応した作品画像部３６と、その園児に対応した個別の二次元コードを有するコード画像部３８とを含む一つの画像データに変換することができる。なお、平面状の作品Ａ１の場合は、スキャナ３０だけでなく、デジタルカメラ３２やタブレット３４を用いて、画像データを得ることもできる。
【００１８】
図４は、サーバ１２の主な構成を示したものである。サーバ１２は、ネットワーク１４を介して上述した先生，保護者，業者の各端末との通信を可能にする通信部４０や、前述の画像データなどを記憶する画像データ記憶部４２や、名簿データを記憶する名簿データ記憶部４４の他に、これらの各部を統括的に制御する制御部５０をそれぞれ備えて構成される。
【００１９】
サーバ１２のハードウェア構成は、いわゆる一般的なものであって、コンピュータである制御部５０には中央演算処理装置（ＣＰＵ）を備え、ＲＯＭ（Read Only Memory）やハードディスクに記憶されたプログラムを実行する。また、記憶媒体に記憶されたプログラムや、ネットワーク１４を介して送信されてきたプログラムを制御部５０で読み取ることにより、制御部５０がプログラムを実行することができる。
【００２０】
特に本実施形態では、電子アルバムシステム１０のサーバ１２として、制御部５０が、名簿データ作成手段５２と、画像データ取得手段５４と、コード解析手段５６と、商品販促手段５８として機能するためのプログラムを備えている。
【００２１】
名簿データ作成手段５２は、園児個人の基本的情報に、園児を個々に識別するための個人ＩＤを付加した名簿データを作成して、その名簿データを個別に名簿データ記憶部４４に記憶保存させるものである。ここでいう基本的情報とは、いわゆる名簿情報となる園児の氏名の他に、住所、郵便番号、生年月日、保護者の氏名や連絡先、その他の必要な情報などが含まれる。基本的情報は、先生が操作するパソコン１６をサーバ１２にアクセスして、特定のパスワードなどで認証を行なうことで、当該パソコン１６から入力することができる。
【００２２】
画像データ取得手段５４は、前述した作品画像部３６とコード画像部３８とを含んだ一つの画像データが通信部４０に送られる毎に、その画像データを取り込むものである。また、ここでの画像データ取得手段５４は、保護者の端末から入力される閲覧要求により、画像データ記憶部４２に記憶されるすべての画像データの中で、保護者の子供である特定の園児に関係する画像データだけを抽出し、複数の画像データを一覧にして保護者の端末に表示させる電子アルバムとしての機能を提供する。このときの特定の園児の抽出は、保護者の端末から入力される個人ＩＤを利用する。
【００２３】
コード解析手段５６は、画像データ取得手段５４で取込んだ画像データの中から、コード画像部３８に含まれる二次元コードを解析し、その二次元コードに含まれる個人情報と、名簿データ記憶部４４に記憶される名簿データとの比較から、当該画像データに関係する園児と、その園児に対応した個別の識別子となる個人ＩＤを特定するものである。そしてコード解析手段５６は、園児に対応した個別の識別子を特定すると、画像データのファイル名を、例えば個人ＩＤを含む園児を識別するものに変換し、その変換した画像データを画像データ記憶部４２に記憶保存させる。したがって、同一の児童の作品を含んだ全ての画像データは、ファイル名の一部がその児童に対応した個人ＩＤで共通化される。なお、園児に対応した個別の識別子とは、名簿データに含まれる園児の氏名でもよいし、氏名と生年月日の組み合わせでもよく、園児を個々に識別できるものであれば特に限定されない。
【００２４】
商品販促手段５８は、画像データ記憶部４２に記憶保存された多数の画像データを利用して、保護者に向けて冊子やグッズなどの商品の販売を促すもので、例えば卒園時などの予め設定されたタイミングで、名簿データに含まれる園児の生年月日を利用して、卒園する園児の名簿データだけを名簿データ記憶部４４から抽出し、そこに含まれる保護者の連絡先から、商品の販売を促すメールを各保護者の電子メール宛てに一斉配信する機能を有する。これを受けて、保護者側の端末がサーバ１２にアクセスし、商品の注文を希望する入力が行われると、商品販促手段５８は、その商品に対応する業者のパソコン２２に注文情報を送信する（図２を参照）。保護者は、業者から発送された冊子やグッズなどの商品を受け取ることができる。
【００２５】
次に、上記構成について、その作用や効果を図５に基づき詳しく説明する。先ず、園児が作った作品を画像データに変換するまでの手順を説明すると、ステップ（１）で、園児が個々にお絵描きや工作などの作品Ａを作ると、次のステップ（２）で、作品Ａを作成した園児の電子アルバム用スタンプ１を用いて、作品Ａに個別の二次元コードが、電子アルバム用スタンプ１の印影Ｓとして貼付けすなわちスタンプされる。特にここでは、作品Ａに関係する園児の氏名である児童名と、その園児の個人情報を含んだ二次元コードが一緒になった印影Ｓを、第１印版面４と第２印版面５とを面一に備えた電子アルバム用スタンプ１でスタンプして得ることを想定している。
【００２６】
こうして、園児の作成した作品Ａの近傍に、電子アルバム用スタンプ１をスタンプして印影Ｓを形成した後、ステップ（３）でこれらをスキャン３０で読み取ったり、デジタルカメラ３２やタブレット３４の他に、Ｗｅｂカメラなどの撮像手段で撮影したりして、園児の作品Ａに対応した作品画像部３６と、その園児に対応した個別の二次元コードを有するコード画像部３８とを含んだ画像データに変換する。こうして得た画像データは、幼稚園の先生が操作するパソコン１６や、園児の保護者が操作するパソコン１８や携帯電話２０による端末から、ネットワーク１４を介してサーバ１２の通信部４０にアップロードされる。
【００２７】
次に、画像データを受けたサーバ１２側の動作について説明すると、ステップ（４）では、作品画像部３６とコード画像部３８を有する一つの画像データを、通信部４０と接続する画像データ取得手段５４で取り込む毎に、コード解析手段５６がそのコード画像部３８に含まれる二次元コードを解析する。このときにコード解析手段５６は、その二次元コードに含まれる個人情報と、名簿データ記憶部４４に記憶される個々の名簿データとを次々に比較し、例えば児童名などの項目について、個人情報と名簿データの双方で一致する内容のものを検索する。そして、一致する内容の名簿データが見つかれば、その名簿データに含まれる個人ＩＤを特定し、画像データのファイル名を、例えば個人ＩＤと画像データを取り込んだ日時を組み合わせたような、園児を個々に識別できるものに書き換える。そしてコード解析手段５６は、ファイル名を書き換えた後の画像データを、ステップ（５）の手順で、サーバ１２の画像データ記憶部４２に記憶保存させる。
【００２８】
上記ステップ（１）〜ステップ（５）の各手順は、園児が作品を作る度に繰り返される。したがって画像データ記憶部４２には、園児を個々に識別できるファイル名の画像データがデータベース化されて蓄積保存されてゆく。これは園児が卒園した後も、サーバ１２が保護者からの画像データのアップロードを継続的に受け付けるので、子供の成長の記録を画像データとして画像データ記憶部４２に蓄積保存させ続けることが可能になる。
【００２９】
こうした画像データの保存とは別に、ステップ（６）の手順において、サーバ１２に組み込まれた商品販促手段５８は、例えば卒園時などの予め設定されたタイミングで、卒園を対象とした園児の保護者に向けて、冊子やグッズなどの商品の製作や販売を行なう。また、ステップ（７）の手順では、保護者の端末からサーバ１２に個人ＩＤの入力と共に閲覧要求があると、サーバ１２の画像データ取得手段５４は、その個人ＩＤを含んだ画像データだけを閲覧可能にしたマイページを、保護者端末の表示部に表示させる。特に本実施形態では、卒園後も二次元コード付きの画像データの登録をサーバ１２側で受け付けており、画像データはアップロード時の端末からの入力により、例えば「在園時」，「野球クラブ」，「小１〜２」、「小３〜４」のように、カテゴリ別に分類してサーバ１２の画像データ記憶部４２に保存されているので、前記マイページからどのカテゴリのものをいつでも確認することができる。
【００３０】
このように、本実施形態における電子アルバム用スタンプ１を用いた電子アルバムシステム１０では、次のような利点がある。
【００３１】
第一に、既存のサーバ１２に新たなコンテンツを誕生させることができる。つまり、名簿データに含まれる個人ＩＤと、二次元コードの利用（アップロードする画像データのファイル名変換）が合わさることで、サーバ１２はデータ記憶部４２に保存され画像データを、作品ギャラリーとして公開したり、卒園時に在園中の作品を一冊の作品集にまとめて販売したりするなど、新しいサービスが実現可能となる。
【００３２】
第二に、冊子等の売り上げにより、幼稚園に継続的に収入が発生する見込みある。これは、サーバ１２に商品販促手段５８としての機能を付加することで実現する。
【００３３】
第三に、名簿データに含まれる個人ＩＤ、二次元コードを卒園後も有効にし、継続して画像を受け付けることができる。つまり、卒園後も児童の作品や写真などの画像データを、サーバ１２にアップロードして、保護者の端末に表示されるマイページで、アップロードされた画像データを管理できるようにし、個人ＩＤを永続的に使えるようにすることで、卒園後も画像データを管理し、また商品化のタイミングを増加させることが可能になる。
【００３４】
これらを纏めると、本実施形態では、在園中の作品を画像データとしてサーバ１２側でデータベース化し、卒園時には、作品集などの記念品として販売することができる。また、卒園後は成長の記録として、家庭だけでなく学校や塾などを通じ作られる児童の作品類（図画工作、作文、書道、賞状、答案など）の画像データを、継続してアップロードを受け付けできるようにすることができる。これにより、商品化のタイミングが増加し、継続的収益化も可能なサービスの展開が可能となる。
【００３５】
以上のように、本実施形態における電子アルバム用スタンプ１は、子供の氏名となる表示を形成した第１印版面４と、コードである例えば二次元コードの印影として、第１印刷面４に形成される子供の個人情報を含んだコード化パターンの表示を形成した第２印版面５と、を備えている。そして、このような電子アルバム用スタンプ１は、子供の作品Ａに対応した作品画像部３６と、その子供に対応した個別のコードとして、例えば二次元コードを有するコード画像部３８を含んだ一つの画像データを取込む画像データ取得手段５４と、少なくとも氏名、生年月日および連絡先を含む子供個人の基本的情報に、子供を個々に識別する識別子として例えば個人ＩＤを付加した名簿データを記憶保存する名簿データ記憶部４４と、画像データ取得手段５４で取込んだ前記画像データの中から、コード画像部３８に含まれる二次元コードを解析し、二次元コードに含まれる子供の個人情報と名簿データ記憶部４４に記憶される名簿データとの比較から、その画像データに関係する子供に対応した個別の個人ＩＤを特定するコード解析手段５６と、その画像データをコード解析手段５６で特定された個人ＩＤと関連付けて記憶保存する記憶手段としての画像データ記憶部４２と、を備えた電子アルバムシステム１０に用いられる。電子アルバムシステム１０はさらに、予め設定したタイミングで、名簿データに含まれる生年月日を利用して、特定の子供の名簿データだけを名簿データ記憶部４４から抽出し、その名簿データに含まれる連絡先から、画像データを利用した商品の販売を促す電子メールを配信する商品促進手段５８を備えている。
【００３６】
つまり、ここでの電子アルバム用スタンプ１は、子供の氏名が印影Ｓとして形成される第１印版面４の他に、その子供の個人情報を含んだ二次元コードが印影Ｓとして形成される第２印版面５をさらに備えている。そのため、子供の作成した作品Ａの近傍に、電子アルバム用スタンプ１を押印して二次元コードのようなコードを貼付けておけば、これらの作品Ａとコードを含んだ一つの画像データを電子アルバムシステム１０に取込むだけで、その子供に対応した個別の識別子と画像データが自動的に関連付けられて、個々の画像データを画像データ記憶部４２に記憶保存することができ、作品ギャラリーなどの電子アルバムとして自由に閲覧できる。したがって、子供が作品Ａを作成する度に、その作品が誰のものであるのかを、電子アルバムシステム１０側で簡単に関連付けすることが可能になる。さらに、画像データ記憶部４２に記憶保存された多数の画像データを利用して、冊子やグッズなどの商品の販売を促すことが可能になる。
【００３７】
また、本実施形態のコード解析手段は、子供に対応した個別の個人ＩＤを特定すると、画像データのファイル名を、個人ＩＤと画像データを取込んだ日時を組み合わせたものに変換した上で、その画像データを画像データ記憶部４２に記憶保存させる構成としている。したがって、同一の子供の作品を含んだ全ての画像データは、ファイル名の一部がその子供に対応した個人ＩＤで共通化される。
【００３８】
以上、本発明の実施形態について説明したが、当該実施形態はあくまでも例として提示したに過ぎず、発明の範囲を限定することを意図していない。ここに提示したれ実施形態は、その他の様々な形態で実施可能であり、発明の要旨を逸脱しない範囲で、種々の省略、置換、変更が可能である。例えば上記実施形態では、幼稚園の園児を対象としたシステム構成であったが、小学校やそれ以外にも同様に適用できる。
【符号の説明】
【００３９】
１  電子アルバム用スタンプ
４  第１印版面
５  第２印版面
１０  電子アルバムシステム
３６  作品画像部
３８  コード画像部
４２  画像データ記憶部
４４  名簿データ記憶部
５４  画像データ取得手段
５６  コード解析手段
５８  商品促進手段
【図１】
0006356095.tif 000002
【図２】
0006356095.tif 000003
【図３】
0006356095.tif 000004
【図４】
0006356095.tif 000005
【図５】
0006356095.tif 000006